(57)【特許請求の範囲】
【請求項１】
撮影機器が備えられた電子広告装置から広告を配信する電子広告システムであって、
前記広告の内容を示す広告情報を記憶する広告情報記憶手段と、
前記広告情報記憶手段に記憶された広告情報を前記所定の電子広告装置に送信する広告情報送信手段と、
前記広告情報送信手段により送信した広告情報を前記所定の電子広告装置から配信させる広告情報配信手段と、
前記広告情報配信手段により配信された広告情報の配信時間及び前記撮影機器に前記広告配信時の電子広告装置付近の映像からなる撮影画像を撮影させて、該撮影された撮影画像を含む履歴情報を作成する履歴情報作成手段と、
前記履歴情報作成手段により作成された履歴情報のうち、少なくとも前記広告情報の配信時間及び配信時間帯から広告料金を算出する広告料金算出手段と、
を備え、
前記広告料金算出手段は、
前記広告情報の配信時間に関する料金情報と、前記広告情報の配信時間帯に通行すると想定した通行人の想定数に対応した配信時間帯別の料金情報とを記憶し、
前記配信時間帯の通行人の想定数と前記撮影画像に撮影された通行人の数との違いに基づいて前記配信時間帯別の料金を補正する、ことを特徴とする電子広告システム。
【請求項２】
撮影機器が備えられた電子広告装置から広告を配信する電子広告システムであって、
前記広告の内容を示す広告情報を記憶する広告情報記憶手段と、
前記広告情報記憶手段に記憶された広告情報を前記所定の電子広告装置に送信する広告情報送信手段と、
前記広告情報送信手段により送信した広告情報を前記所定の電子広告装置から配信させる広告情報配信手段と、
前記広告情報配信手段により配信された広告情報の配信時間及び前記撮影機器に前記広告配信時の電子広告装置付近の映像からなる撮影画像を撮影させて、該撮影された撮影画像を含む履歴情報を作成する履歴情報作成手段と、
前記履歴情報作成手段により作成された履歴情報から広告料金を算出する広告料金算出手段と、
を備え、
前記電子広告装置は、移動体の外装部に装着され、
前記電子広告装置を装着した移動体の位置を特定する移動体位置特定手段を、さらに備え、
前記履歴情報作成手段は、前記移動体位置特定手段により特定された移動体の位置を含む履歴情報を作成し、
前記広告料金算出手段は、
前記履歴情報のうち、少なくとも前記広告情報の配信時間及び前記移動体の位置から広告料金を算出し、
前記広告情報の配信時間に関する料金情報と、前記移動体の位置で通行すると想定した通行人の想定数に対応した位置別の料金情報とを記憶し、
前記位置別の料金情報と、前記位置の通行人の想定数と前記撮影画像に撮影された通行人の数との違いに基づいて位置別の料金を補正する、ことを特徴とする電子広告システム。
【請求項３】
前記電子広告装置には、天気及び温度を含む気象状況を特定可能な気象センサが備えられ、
前記気象センサに電子広告装置付近の気象状況を特定させる気象状況特定手段を、さらに備え、
前記広告情報記憶手段は、前記気象状況に応じた広告情報を記憶し、
前記広告情報送信手段は、前記広告情報記憶手段に記憶された広告情報のうち、前記気象状況特定手段により特定された気象状況に応じた所定の広告情報を所定の電子広告装置に送信する、ことを特徴とする請求項１または２に記載の電子広告システム。
【請求項４】
撮影機器が備えられた電子広告装置から広告を配信する電子広告システムとして機能させるためのプログラムを記録したコンピュータ読み取り可能な記録媒体であって、
コンピュータを、
前記広告の内容を示す広告情報を記憶する広告情報記憶手段、
前記広告情報記憶手段に記憶された広告情報を前記所定の電子広告装置に送信する広告情報送信手段、
前記広告情報送信手段により送信した広告情報を前記所定の電子広告装置から配信させる広告情報配信手段、
前記広告情報配信手段により配信された広告情報の配信時間及び前記撮影機器に前記広告配信時の電子広告装置付近の映像からなる撮影画像を撮影させて、該撮影された撮影画像を含む履歴情報を作成する履歴情報作成手段、
前記履歴情報作成手段により作成された履歴情報のうち、少なくとも前記広告情報の配信時間及び配信時間帯から広告料金を算出する広告料金算出手段、
として機能させ、
前記広告料金算出手段は、
前記広告情報の配信時間に関する料金情報と、前記広告情報の配信時間帯に通行すると想定した通行人の想定数に対応した配信時間帯別の料金情報とを記憶し、
前記配信時間帯の通行人の想定数と前記撮影画像に撮影された通行人の数との違いに基づいて前記配信時間帯別の料金を補正する、ことを特徴とするコンピュータ読み取り可能な記録媒体。
【請求項５】
撮影機器が備えられた電子広告装置から広告を配信する電子広告システムとして機能させるためのプログラムを記録したコンピュータ読み取り可能な記録媒体であって、
コンピュータを、
前記広告の内容を示す広告情報を記憶する広告情報記憶手段、
前記広告情報記憶手段に記憶された広告情報を前記所定の電子広告装置に送信する広告情報送信手段、
前記広告情報送信手段により送信した広告情報を前記所定の電子広告装置から配信させる広告情報配信手段、
前記広告情報配信手段により配信された広告情報の配信時間及び前記撮影機器に前記広告配信時の電子広告装置付近の映像からなる撮影画像を撮影させて、該撮影された撮影画像を含む履歴情報を作成する履歴情報作成手段、
前記履歴情報作成手段により作成された履歴情報から広告料金を算出する広告料金算出手段、
として機能させ、
前記電子広告装置は、移動体の外装部に装着され、
さらに、コンピュータを、前記電子広告装置を装着した移動体の位置を特定する移動体位置特定手段として機能させ、
前記履歴情報作成手段は、前記移動体位置特定手段により特定された移動体の位置を含む履歴情報を作成し、
前記広告料金算出手段は、
前記履歴情報のうち、少なくとも前記広告情報の配信時間及び前記移動体の位置から広告料金を算出し、
前記広告情報の配信時間に関する料金情報と、前記移動体の位置で通行すると想定した通行人の想定数に対応した位置別の料金情報とを記憶し、
前記位置別の料金情報と、前記位置の通行人の想定数と前記撮影画像に撮影された通行人の数との違いに基づいて位置別の料金を補正する、ことを特徴とするコンピュータ読み取り可能な記録媒体。
【請求項６】
前記電子広告装置には、天気及び温度を含む気象状況を特定可能な気象センサが備えられ、
さらに、コンピュータを、前記気象センサに電子広告装置付近の気象状況を特定させる気象状況特定手段として機能させ、
前記広告情報記憶手段は、前記気象状況に応じた広告情報を記憶し、
前記広告情報送信手段は、前記広告情報記憶手段に記憶された広告情報のうち、前記気象状況特定手段により特定された気象状況に応じた所定の広告情報を所定の電子広告装置に送信する、ことを特徴とする請求項４または５に記載のコンピュータ読み取り可能な記録媒体。
【発明の詳細な説明】
【０００１】
【発明の属する技術分野】
本発明は、電子広告システム及び電子広告方法に関し、詳しくは、電子広告装置により広告を行う電子広告システム及び電子広告方法に関する。
【０００２】
【従来の技術】
従来、ビルの外壁や移動体、例えば、バスの側面等に巨大なポスターや看板を装着し、繁華街を通る通行人に商品等の広告を行うことにより、商品等の宣伝、広告効果を高めた広告方法が知られている。このように装着された看板等は、広告業者が広告依頼主の要望を考慮しながら商品等に関する広告内容を作成しており、例えば、商品が変わると、新たな広告内容に作成し直さなければならない。このため、液晶ディスプレーやＬＥＤ等の大型の表示器を有する電子広告装置を装着して広告を行うことが検討されている。
【０００３】
電子広告装置により広告を行う場合には、広告内容としての画像データを含む広告情報を電子広告装置に送信することにより、新たな商品等の広告を行うことができ、例えば、数秒間のみの短時間の商品等の広告も行うことができる。
【０００４】
【発明が解決しようとする課題】
ところで、バスに装着した電子広告装置により広告を行う場合には、広告時のバスの走行位置、時間、天気、気温等によって、通行人の人数、年代層等が異なるため、商品等の宣伝、広告効果が大きく異なってしまう。
【０００５】
また、ビルの外壁等に装着した電子広告装置により広告を行う場合にも、広告時の時間、天気、気温等によって、通行人の人数、年代層等が異なるため、商品等の宣伝、広告効果が大きく異なってしまう。
【０００６】
このため、商品等の広告効果が変化する要因を考慮して広告料金の設定をする必要がある。しかし、広告料金を商品等の広告効果に即した料金に設定することは困難である。
【０００７】
本発明は、上記問題に鑑みてなされたものであり、広告料金を商品等の広告効果に即した料金に設定することができる電子広告システム及び電子広告方法を提供することを目的とする。
【０００８】
【課題を解決するための手段】
上記目的を達成するため、この発明の第１の観点に係る電子広告システムは、撮影機器が備えられた電子広告装置から広告を配信する電子広告システムであって、前記広告の内容を示す広告情報を記憶する広告情報記憶手段と、前記広告情報記憶手段に記憶された広告情報を前記所定の電子広告装置に送信する広告情報送信手段と、前記広告情報送信手段により送信した広告情報を前記所定の電子広告装置から配信させる広告情報配信手段と、前記広告情報配信手段により配信された広告情報の配信時間及び前記撮影機器に前記広告配信時の電子広告装置付近の映像からなる撮影画像を撮影させて、該撮影された撮影画像を含む履歴情報を作成する履歴情報作成手段と、前記履歴情報作成手段により作成された履歴情報のうち、少なくとも前記広告情報の配信時間及び配信時間帯から広告料金を算出する広告料金算出手段と、を備え、前記広告料金算出手段は、前記広告情報の配信時間に関する料金情報と、前記広告情報の配信時間帯に通行すると想定した通行人の想定数に対応した配信時間帯別の料金情報とを記憶し、前記配信時間帯の通行人の想定数と前記撮影画像に撮影された通行人の数との違いに基づいて前記配信時間帯別の料金を補正する、ことを特徴とする。
【０００９】
上記目的を達成するため、この発明の第２の観点に係る電子広告システムは、撮影機器が備えられた電子広告装置から広告を配信する電子広告システムであって、前記広告の内容を示す広告情報を記憶する広告情報記憶手段と、前記広告情報記憶手段に記憶された広告情報を前記所定の電子広告装置に送信する広告情報送信手段と、前記広告情報送信手段により送信した広告情報を前記所定の電子広告装置から配信させる広告情報配信手段と、前記広告情報配信手段により配信された広告情報の配信時間及び前記撮影機器に前記広告配信時の電子広告装置付近の映像からなる撮影画像を撮影させて、該撮影された撮影画像を含む履歴情報を作成する履歴情報作成手段と、前記履歴情報作成手段により作成された履歴情報から広告料金を算出する広告料金算出手段と、を備え、前記電子広告装置は、移動体の外装部に装着され、前記電子広告装置を装着した移動体の位置を特定する移動体位置特定手段を、さらに備え、前記履歴情報作成手段は、前記移動体位置特定手段により特定された移動体の位置を含む履歴情報を作成し、前記広告料金算出手段は、前記履歴情報のうち、少なくとも前記広告情報の配信時間及び前記移動体の位置から広告料金を算出し、前記広告情報の配信時間に関する料金情報と、前記移動体の位置で通行すると想定した通行人の想定数に対応した位置別の料金情報とを記憶し、前記位置別の料金情報と、前記位置の通行人の想定数と前記撮影画像に撮影された通行人の数との違いに基づいて位置別の料金を補正する、ことを特徴とする。
【００１０】
前記電子広告装置には、天気及び温度を含む気象状況を特定可能な気象センサが備えられ、前記気象センサに電子広告装置付近の気象状況を特定させる気象状況特定手段を、さらに備えてもよい。この場合、前記広告情報記憶手段は、前記広告情報記憶手段は、前記気象状況に応じた広告情報を記憶し、前記広告情報送信手段は、前記広告情報記憶手段に記憶された広告情報のうち、前記気象状況特定手段により特定された気象状況に応じた所定の広告情報を所定の電子広告装置に送信する。
【００１１】
上記目的を達成するため、この発明の第３の観点に係るコンピュータ読み取り可能な記録媒体は、撮影機器が備えられた電子広告装置から広告を配信する電子広告システムとして機能させるためのプログラムを記録したコンピュータ読み取り可能な記録媒体であって、コンピュータを、前記広告の内容を示す広告情報を記憶する広告情報記憶手段、前記広告情報記憶手段に記憶された広告情報を前記所定の電子広告装置に送信する広告情報送信手段、前記広告情報送信手段により送信した広告情報を前記所定の電子広告装置から配信させる広告情報配信手段、前記広告情報配信手段により配信された広告情報の配信時間及び前記撮影機器に前記広告配信時の電子広告装置付近の映像からなる撮影画像を撮影させて、該撮影された撮影画像を含む履歴情報を作成する履歴情報作成手段、前記履歴情報作成手段により作成された履歴情報のうち、少なくとも前記広告情報の配信時間及び配信時間帯から広告料金を算出する広告料金算出手段、として機能させ、前記広告料金算出手段は、前記広告情報の配信時間に関する料金情報と、前記広告情報の配信時間帯に通行すると想定した通行人の想定数に対応した配信時間帯別の料金情報とを記憶し、前記配信時間帯の通行人の想定数と前記撮影画像に撮影された通行人の数との違いに基づいて前記配信時間帯別の料金を補正する、ことを特徴とする。
【００１２】
上記目的を達成するため、この発明の第４の観点に係るコンピュータ読み取り可能な記録媒体は、撮影機器が備えられた電子広告装置から広告を配信する電子広告システムとして機能させるためのプログラムを記録したコンピュータ読み取り可能な記録媒体であって、コンピュータを、前記広告の内容を示す広告情報を記憶する広告情報記憶手段、前記広告情報記憶手段に記憶された広告情報を前記所定の電子広告装置に送信する広告情報送信手段、前記広告情報送信手段により送信した広告情報を前記所定の電子広告装置から配信させる広告情報配信手段、前記広告情報配信手段により配信された広告情報の配信時間及び前記撮影機器に前記広告配信時の電子広告装置付近の映像からなる撮影画像を撮影させて、該撮影された撮影画像を含む履歴情報を作成する履歴情報作成手段、前記履歴情報作成手段により作成された履歴情報から広告料金を算出する広告料金算出手段、として機能させ、前記電子広告装置は、移動体の外装部に装着され、さらに、コンピュータを、前記電子広告装置を装着した移動体の位置を特定する移動体位置特定手段として機能させ、前記履歴情報作成手段は、前記移動体位置特定手段により特定された移動体の位置を含む履歴情報を作成し、前記広告料金算出手段は、 前記履歴情報のうち、少なくとも前記広告情報の配信時間及び前記移動体の位置から広告料金を算出し、前記広告情報の配信時間に関する料金情報と、前記移動体の位置で通行すると想定した通行人の想定数に対応した位置別の料金情報とを記憶し、前記位置別の料金情報と、前記位置の通行人の想定数と前記撮影画像に撮影された通行人の数との違いに基づいて位置別の料金を補正する、ことを特徴とする。
【００１３】
前記電子広告装置には、天気及び温度を含む気象状況を特定可能な気象センサが備えられ、さらに、コンピュータを、前記気象センサに電子広告装置付近の気象状況を特定させる気象状況特定手段として機能させてもよい。この場合、前記広告情報記憶手段は、前記気象状況に応じた広告情報を記憶し、前記広告情報送信手段は、前記広告情報記憶手段に記憶された広告情報のうち、前記気象状況特定手段により特定された気象状況に応じた所定の広告情報を所定の電子広告装置に送信する。
【００２５】
【発明の実施の形態】
以下、本発明の実施の形態にかかる電子広告システム及び電子広告方法について説明する。本実施の形態では、バスの外装部に電子広告装置を装着して広告を行う電子広告システムの場合を例に説明する。まず、電子広告システムについて説明する。
【００２６】
図１に、電子広告システムの構成を示す。図１に示すように、電子広告システムは、電子広告サーバ１と、電子広告データベース２と、インターネット３と、インターネット３に図示しないＩＳＰ（Internet Service Provider）を介して接続された広告作成者用端末４と、インターネット３に図示しないＩＳＰを介して接続された広告主用端末５と、電子広告装置６（６１〜６ｎ）と、から構成されている。
【００２７】
電子広告サーバ１は、スケジュールに従って、所定の広告情報を所定の電子広告装置６に送信する処理など、本システムの各種の処理をするためのものである。ここで、広告情報は、主に画像データから構成されるが、この画像データと音声データとから構成されるものも含まれる。すなわち、広告には、画像のみからなる広告と、画像及び音声からなる広告とがある。電子広告サーバ１は、図２に示すように、通信制御部１１と、処理制御部１２と、データ記憶部１３と、を備えている。
【００２８】
通信制御部１１は、処理制御部１２の制御により、インターネット３を介して各種の情報を送受信するためのものである。
【００２９】
処理制御部１２は、通信制御部１１を介して通信を行い、また、各種の情報を処理する。さらに、処理制御部１２は画像データを作成する。
【００３０】
データ記憶部１３は、半導体メモリ、磁気ディスク記録装置などから構成され、各種の情報やプログラムを記録する。
【００３１】
電子広告データベース２は、電子広告システムに関する各種の情報を記憶するデータベース（ＤＢ）である。図３に電子広告データベース２の構成を示す。図３に示すように、電子広告データベース２は、広告主ＤＢ２１と、広告作成者ＤＢ２２と、広告データ情報ＤＢ２３と、広告情報ＤＢ２４と、電子広告装置情報ＤＢ２５と、スケジュール情報ＤＢ２６と、広告履歴ＤＢ２７と、撮影画像ＤＢ２８と、広告料金ＤＢ２９と、請求ＤＢ３０と、ホームページＤＢ３１と、を備えている。
【００３２】
広告主ＤＢ２１は、広告主に関する情報を記憶するデータベースである。広告主ＤＢ２１には、例えば、図４に示すように、広告主のＩＤ、氏名／名称、住所／所在地、メールアドレス、パスワード等が記憶されている。ＩＤは、広告主の識別情報である。氏名／名称及び住所／所在地は、その広告主の氏名／名称及び住所／所在地である。メールアドレスは、広告主の電子メールのアドレス（Ｅ−ｍａｉｌアドレス）である。パスワードは、広告主が電子広告システムにログインするためのパスワードである。
【００３３】
広告作成者ＤＢ２２は、広告作成者に関する情報を記憶するデータベースである。広告作成者ＤＢ２２には、例えば、図５に示すように、広告作成者のＩＤ、氏名／名称、住所／所在地、メールアドレス、パスワード等が記憶されている。
【００３４】
広告データ情報ＤＢ２３は、電子広告システムで広告の対象となる情報を記憶するデータベースである。広告データ情報ＤＢ２３には、例えば、図６に示すように、広告Ｎｏ．、広告主のＩＤ、広告データ情報ＤＢ２４に記憶される広告情報Ｎｏ．、特記事項等が記憶されている。広告Ｎｏ．は、広告情報を特定する番号である。広告情報Ｎｏ．は、広告として配信される画像データ等を特定する番号である。特記事項は、例えば、「雨の日には、広告情報Ｎｏ．○○の広告情報に替えて、広告情報Ｎｏ．××の広告情報を使用する」のように、本広告Ｎｏ．の広告についての特記すべき事項である。
【００３５】
広告情報ＤＢ２４は、広告内容を示す画像データ等を記憶するデータベースである。また、広告情報ＤＢ２４は、広告データ情報ＤＢ２３に記憶された広告情報Ｎｏ．に対応して画像データ等が記憶されている。
【００３６】
電子広告装置情報ＤＢ２５は、各電子広告装置６に関する情報を記憶するデータベースである。電子広告装置情報ＤＢ２５には、例えば、図７に示すように、電子広告装置Ｎｏ．、電子広告装置の大きさ、移動経路等が記憶されている。電子広告装置Ｎｏ．は、広告を配信する電子広告装置６を特定する番号である。電子広告装置の大きさは、電子広告装置６の大きさ（サイズ）である。移動経路は、電子広告装置６を搭載したバス等の移動体の移動経路である。
【００３７】
スケジュール情報ＤＢ２６は、所定の電子広告装置６から所定の広告情報を配信するスケジュールに関する情報を記憶するデータベースである。ここで、広告情報を配信するとは、広告情報が画像データから構成される場合には、電子広告装置６に画像データを表示することをいう。また、広告情報が画像データと音声データとから構成される場合には、電子広告装置６に画像データを表示するとともに、電子広告装置６から音声データを出力することをいう。
【００３８】
スケジュール情報ＤＢ２６には、例えば、図８に示すように、スケジュールＮｏ．、広告Ｎｏ．、電子広告装置Ｎｏ．、広告開始時間、広告終了時間等が記憶されている。スケジュールＮｏ．は、広告を配信するスケジュール情報を特定する番号である。広告開始時間及び広告終了時間は、広告の配信を開始及び終了する時間である。
【００３９】
広告履歴ＤＢ２７は、電子広告装置６により広告された広告履歴に関する情報を記憶するデータベースである。広告履歴ＤＢ２７には、例えば、図９に示すように、広告Ｎｏ．、電子広告装置Ｎｏ．、広告開始時間、広告終了時間、広告を配信した時間における広告位置、天気、温度、撮影画像ＤＢ２８に記憶される画像データの撮影画像Ｎｏ．等が記憶されている。広告位置は、広告を配信した時間における移動体の位置であり、例えば、グローバルポジショニングシステム（ＧＴＳ）により、広告を配信した時間におけるバス等の移動体の位置が判別されている。また、広告位置は、バス等の移動体の運行表により、広告を配信した時間におけるバス等の移動体の位置を判別してもよい。天気及び温度は、広告を配信した時間における移動体の移動地域の天気及び温度であり、例えば、気象センサにより判別されている。撮影画像Ｎｏ．は、撮影された画像データを特定する番号である。撮影画像は、例えば、バス等の移動体に備え付けられた映像機器により、広告配信時の通行人等が撮影され、宣伝、広告効果を確認するための画像である。
【００４０】
撮影画像ＤＢ２８は、広告配信時の移動体の移動地域が撮影された画像データを記憶するデータベースである。撮影画像ＤＢ２８には、広告履歴ＤＢ２７に記憶された撮影画像Ｎｏ．に対応した画像データが記憶されている。この撮影画像には広告配信時の通行人等が撮影され、商品等の宣伝、広告効果を確認することができる。
【００４１】
広告料金ＤＢ２９は、広告料金の算出に関する情報を記憶するデータベースである。広告料金ＤＢ２９には、例えば、広告の配信時間による料金、配信時間帯別料金、バス等の移動体の位置別料金、通行人数係数等が記憶されている。
【００４２】
広告の配信時間による料金は、広告が配信された時間に対する料金であり、例えば、図１０に示すように、配信時間（分）×ａ（万円）で算出される基本的な広告料金である。
【００４３】
配信時間帯別料金は、広告が配信された時間帯に対する料金であり、例えば、図１０に示すように、広告が７：００〜９：００の時間帯に配信された場合には、配信時間による料金に時間帯係数ｂを乗じた料金になる。時間帯係数は、過去の統計等から時間帯別に通行人の数を想定し、想定した通行人の数に対応した値が設定されている。
【００４４】
位置別料金は、広告が配信された位置に対する料金であり、例えば、広告が配信された位置が駅前のような通行人が多い位置の場合には、配信時間による料金に位置係数ｃを乗じた料金になる。この位置別料金は、過去の統計等から所定の位置の通行人の数を想定し、想定した通行人の数に対応した値が設定されている。
【００４５】
通行人数係数は、広告が配信されたときの通行人の実数から、予め想定された通行人の数とのズレを補正する役割を有し、後述する電子広告装置６に搭載された映像機器により撮影された通行人の数と、予め想定した通行人の数とから求められる。通行人数係数は、配信時間帯別料金及び位置別料金に乗じられており、例えば、通行人数係数がｄの場合には、配信時間帯別料金は、配信時間（分）×ａ×ｂ×ｄ（万円）になる。
【００４６】
そして、電子広告サーバ１が、広告料金ＤＢ２９に記憶された広告の料金に関する情報と、広告履歴ＤＢ２７に記憶された広告履歴に関する情報とから、広告料金を算出する。
【００４７】
請求ＤＢ３０は、電子広告システムの請求書を発行するためのデータベースである。請求ＤＢ３０には、例えば、図１１に示すように、広告の日付、広告主のＩＤ、氏名／名称、住所／所在地、金額等の情報が記憶されている。
【００４８】
ホームページＤＢ３１は、必要となる様々なホームページを記憶するデータベースである。また、ホームページを生成するための様々な素材の画像、各種フォームなどを記憶する。本実施の形態では、このページ等が、ＨＴＭＬ形式の情報として記憶されている場合を例に説明するが、同様の機能を発揮することができる他の形式の情報であってもよい。
【００４９】
図１の広告作成者用端末４は、通信機能を有するコンピュータ、携帯端末などから構成されている。広告作成者用端末４には、ブラウザがインストールされている。広告作成者用端末４は、広告作成者から電子広告システムへの要求入力、その他の操作入力及び電子広告システムから広告作成者に処理結果等のメッセージ表示を行う。
【００５０】
広告主用端末５は、通信機能を有するコンピュータ、携帯端末などから構成されている。広告主用端末５には、ブラウザがインストールされている。広告主用端末５は、広告主から電子広告システムへの要求入力、その他の操作入力及び電子広告システムから広告主に処理結果等のメッセージ表示を行う。
【００５１】
電子広告装置６は、図１２に示すように、通信制御部６１と、処理制御部６２と、データ記憶部６３と、表示処理部６４と、音声処理部６５と、を備えている。
【００５２】
通信制御部６１は、処理制御部６２の制御により、インターネット３を介して各種の情報を送受信するためのものである。
【００５３】
処理制御部６２は、通信制御部６１を介して通信を行い、また、各種の情報を処理する。さらに、処理制御部６２は画像データを作成する。
【００５４】
データ記憶部６３は、半導体メモリ、磁気ディスク記録装置などから構成され、各種の情報やプログラムを記録する。
【００５５】
表示処理部６４は、ディスプレイ装置等から構成され、処理制御部６２から供給された画像データに従った画像を表示する。
【００５６】
音声処理部６５は、音声出力器等から構成され、処理制御部６２から供給された音声データに従った音声を出力する。
【００５７】
以上のように構成された電子広告装置６は、図１３に示すように、バス６６の外装部に装着されている。電子広告装置６は、表示処理部６４としての液晶ディスプレーやＬＥＤ等の大型の表示器、及び音声処理部６５としての音声出力器等を有している。そして、表示器に画像データを表示（広告情報に音声データが含まれる場合には、さらに音声出力器から音声データを出力）することにより、電子広告装置６から広告情報を配信する。
【００５８】
電子広告装置６には映像機器６７が搭載され、映像機器６７によりバス６６付近の通行人等の状況が撮影される。また、電子広告装置６には、図示しない気象センサが搭載され、気象センサによりバス６６付近の天気及び温度が計測される。そして、これらの情報は、インターネット３とを介して電子広告サーバ１に送信される。
【００５９】
次に、以上のように構成された電子広告システムを用いた電子広告方法について説明する。本実施の形態の電子広告方法では、予め登録された広告作成者が広告データ情報を登録した後、予め登録された広告主が広告を希望する広告Ｎｏ．及び電子広告装置Ｎｏ．等を選択してスケジュール登録をすることにより、このスケジュールに従って所定の電子広告装置６から広告が配信され、配信された広告の履歴情報から広告料金が算出されるものである。以下、広告主及び広告作成者の事前登録、電子広告システムへのログイン、広告内容の登録、広告内容の修正、広告の予約、広告の配信、広告料金の算出の順に説明する。
【００６０】
（事前登録）
広告主及び広告作成者が電子広告システムを利用するには、事前に登録をすることが必要になる。以下、広告主及び広告作成者の事前登録について説明する。
【００６１】
広告主は、広告主用端末５から、インターネット３とを介して電子広告サーバ１に、広告主の氏名、住所、メールアドレス、支払い方法等の情報を電子広告サーバ１に送信する。電子広告サーバ１は、広告主の氏名等の情報を受け取ると、広告主ＩＤ及びパスワードを発行し、例えば、メールで広告主用端末５に広告主ＩＤ及びパスワードを送信する。また、電子広告サーバ１は、送信された所定の情報、広告主ＩＤ及びパスワードを広告主ＤＢ２１に登録する。
【００６２】
また、広告作成者は、広告作成者用端末４から、広告作成者の氏名、住所等の情報を、インターネット３とを介して電子広告サーバ１に送信する。電子広告サーバ１は、広告作成者の氏名等の情報を受け取ると、広告作成者ＩＤ及びパスワードを発行し、例えば、メールで広告作成者用端末４に広告作成者ＩＤ及びパスワードを送信する。また、電子広告サーバ１は、送信された所定の情報、広告作成者ＩＤ及びパスワードを広告作成者ＤＢ２２に登録する。
【００６３】
（ログイン）
広告主及び広告作成者は、事前登録で送信されたＩＤ及びパスワードを入力することにより、電子広告システムに接続することができる。以下、電子広告システムへのログインについて説明する。
【００６４】
広告主が広告主用端末５からインターネット３とを介して電子広告サーバ１が提供するホームページのログイン画面にアクセスすると、電子広告サーバ１は、図１４のフローチャートに示す処理を開始する。
【００６５】
まず、電子広告サーバ１は、図１５に示すようなログイン画面用ページ（ＨＴＭＬ形式の情報）をホームページＤＢ３１から読み出して広告主用端末５に送信し、広告主用端末５にログイン画面用ページを表示する（ステップＳ１）。このページには、ログイン名、パスワードを入力する入力欄が配置されている。
【００６６】
広告主は、この画面上で、ログイン名とパスワードとを入力し、「送信」をクリックする。広告主がログイン名とパスワードを入力し、「送信」をクリックすると、インターネット３を介して入力事項が電子広告サーバ１に通知される。
【００６７】
電子広告サーバ１は、この通知に対して、入力された情報が広告主ＤＢ２１に登録されているか否かを判別する（ステップＳ２）。
【００６８】
電子広告サーバ１は、広告主が登録されていないと判別した場合（ステップＳ２；Ｎｏ）、図示しない会員登録案内のページの情報（ＨＴＭＬ文書）を広告主用端末５に送信し、広告主用端末５に会員登録案内のページを表示させ（ステップＳ３）、この処理を終了する。
【００６９】
一方、電子広告サーバ１は、広告主が登録されていると判別した場合（ステップＳ２；Ｙｅｓ）、図１６に示すようなトップページの情報（ＨＴＭＬ形式の情報）をホームページＤＢ３１から読み出して広告主用端末５に送信し、広告主用端末５にトップページを表示し（ステップＳ４）、この処理を終了する。
【００７０】
また、広告作成者がログインする場合、広告作成者は、広告作成者用端末４からインターネット３とを介して電子広告サーバ１が提供するホームページのログイン画面にアクセスする。電子広告サーバ１は、前述と同様の処理を行い、広告作成者用端末４にトップページまたは会員登録案内のページを表示させ、この処理を終了する。
【００７１】
広告主、または広告主からの依頼を受けた広告作成者は、図１６に示すトップページから「登録」、「変更」、及び「予約」をクリックすることにより、広告内容の登録、広告内容の変更、及び広告の予約を行うことができる。
【００７２】
（広告内容の登録）
広告主からの依頼を受けた広告作成者が、図１６に示すトップページから広告内容を登録する「登録」をクリックすると、電子広告サーバ１は、図１７のフローチャートに示す処理を開始する。
【００７３】
まず、電子広告サーバ１は、広告作成者に広告情報の送信を要求する（ステップＳ１１）。広告作成者は、この要求に応え、広告作成者用端末４からインターネット３を介して電子広告サーバ１に広告情報の送信する。電子広告サーバ１は、広告情報を受信すると、受信した広告情報を広告情報ＤＢ２４に登録する（ステップＳ１２）。また、電子広告サーバ１は、登録された広告情報に広告情報Ｎｏ．を付与し、この広告情報と広告情報Ｎｏ．とを関連付けて記憶（登録）する。
【００７４】
次に、電子広告サーバ１は、図１８に示すような広告データ情報を登録する登録用ページ（ＨＴＭＬ形式の情報）をホームページＤＢ３１から読み出して広告作成者用端末４に送信し、広告作成者用端末４に登録用ページを表示する（ステップＳ１３）。このページには、広告Ｎｏ．に番号、例えば、０００１が自動付与されており、広告主ＩＤ、広告情報Ｎｏ．、特記事項を入力する入力欄が配置されている。また、広告情報Ｎｏ．には、先ほど受信した広告情報に対応する広告情報Ｎｏ．、例えば、Ｇ０００１が付与されている。
【００７５】
広告作成者は、この画面上で、広告主ＩＤ、特記事項を入力し、「送信」をクリックする。また、広告作成者は、広告情報Ｎｏ．Ｇ０００１でない場合、新たな広告情報Ｎｏ．も入力する。「送信」がクリックされると、広告作成者用端末４、インターネット３を介して入力事項が電子広告サーバ１に通知される。
【００７６】
電子広告サーバ１は、この通知により、必要な情報が入力されているか否かを判別する（ステップＳ１４）。電子広告サーバ１は、必要な情報が入力されていないと判別した場合（ステップＳ１４；Ｎｏ）、必要な情報が入力されていない旨を示し、広告作成者に再度必要な情報の入力を要求する。
【００７７】
電子広告サーバ１は、必要な情報が入力されていると判別した場合（ステップＳ１４；Ｙｅｓ）、入力された情報を広告データ情報ＤＢ２３に登録し（ステップＳ１５）、この処理を終了する。
【００７８】
また、このような広告内容の登録処理は、広告作成者の他、広告主が行うこともできる。この場合、広告主は、図１６に示すトップページから「登録」をクリックすることにより、前述と同様に、広告内容の登録処理を行うことができる。
【００７９】
（広告内容の変更）
広告主からの依頼を受けた広告作成者が、図１６に示すトップページから広告内容を変更する「変更」をクリックすると、電子広告サーバ１は、図１９のフローチャートに示す処理を開始する。
【００８０】
まず、電子広告サーバ１は、図２０に示すような広告内容を変更する変更用ページ（ＨＴＭＬ形式の情報）をホームページＤＢ３１から読み出して広告作成者用端末４に送信し、広告作成者用端末４に変更用ページを表示する（ステップＳ２１）。このページには、広告Ｎｏ．を入力する入力欄が配置されている。また、このページには、登録された広告Ｎｏ．を一覧表示する「一覧表示」キーが配置されている。ただし、「一覧表示」キーをクリックすることにより表示される広告Ｎｏ．は、広告作成者（及び、この広告作成者に広告作成を依頼した広告主）が登録した広告に関する広告Ｎｏ．、すなわち、広告内容を変更する権限を有する広告Ｎｏ．（変更権限を有する広告Ｎｏ．）のみが表示される。
【００８１】
広告作成者は、この画面上で、広告Ｎｏ．を入力し、「送信」をクリックする。「送信」がクリックされると、広告作成者用端末４、インターネット３を介して入力事項が電子広告サーバ１に通知される。
【００８２】
電子広告サーバ１は、この通知により、変更権限を有する広告Ｎｏ．が入力されているか否かを判別する（ステップＳ２２）。電子広告サーバ１は、変更権限を有しない広告Ｎｏ．が入力されていると判別した場合（ステップＳ２２；Ｎｏ）、変更権限を有しない広告Ｎｏ．が入力されている旨を示し、広告作成者に変更権限を有する広告Ｎｏ．の入力を要求する。
【００８３】
電子広告サーバ１は、変更権限を有する広告Ｎｏ．が入力されていると判別した場合（ステップＳ２２；Ｙｅｓ）、入力された広告Ｎｏ．の登録ページを表示する（ステップＳ２３）。この登録ページには、図１８に示す登録用ページに広告主ＩＤ、広告情報Ｎｏ．、特記事項が登録されている。
【００８４】
広告作成者は、この画面上で、変更内容を入力し、「送信」をクリックする。「送信」がクリックされると、広告作成者用端末４、インターネット３を介して入力事項が電子広告サーバ１に通知される。
【００８５】
電子広告サーバ１は、この通知により、内容が変更されているか否かを判別する（ステップＳ２４）。電子広告サーバ１は、内容が変更されていないと判別した場合（ステップＳ２４；Ｎｏ）、この処理を終了する。
【００８６】
電子広告サーバ１は、内容が変更されていると判別した場合（ステップＳ２４；Ｙｅｓ）、変更された内容を広告データ情報ＤＢ２３に登録し（ステップＳ２５）、この処理を終了する。
【００８７】
また、このような広告内容の変更処理は、広告作成者の他、広告主が行うこともできる。この場合、広告主は、図１６に示すトップページから「変更」をクリックすることにより、前述と同様に、広告内容の変更処理を行うことができる。
【００８８】
（広告の予約）
広告主が、図１６に示すトップページから広告を予約する「予約」をクリックすると、電子広告サーバ１は、図２１のフローチャートに示す処理を開始する。
【００８９】
まず、電子広告サーバ１は、図２２に示すような広告を予約する予約用ページ（ＨＴＭＬ形式の情報）をホームページＤＢ３１から読み出して広告主用端末５に送信し、広告主用端末５に予約用ページを表示する（ステップＳ３１）。このページには、広告Ｎｏ．、電子広告装置Ｎｏ．、広告希望日（日付）を入力する入力欄が配置されている。また、このページには、２つの「一覧表示」キーが配置されている。広告Ｎｏ．横の「一覧表示」をクリックすると、広告主の登録された広告Ｎｏ．の一覧が表示される。電子広告装置Ｎｏ．横の「一覧表示」をクリックすると、電子広告装置の一覧及び、その移動経路の一覧が表示される。
【００９０】
広告主は、この画面上で必要な情報を入力し、「送信」をクリックする。「送信」がクリックされると、広告主用端末５、インターネット３を介して電子広告サーバ１に入力事項が通知される。
【００９１】
電子広告サーバ１は、この通知により、必要な情報が入力されているか否かを判別する（ステップＳ３２）。電子広告サーバ１は、必要な情報が入力されていないと判別した場合（ステップＳ３２；Ｎｏ）、必要な情報が入力されていない旨を示し、広告主に再度必要な情報の入力を要求する。
【００９２】
電子広告サーバ１は、必要な情報が入力されていると判別した場合（ステップＳ３２；Ｙｅｓ）、図２３に示すような電子広告装置６のスケジュールを表示するスケジュール用ページ（ＨＴＭＬ形式の情報）をホームページＤＢ３１から読み出して広告主用端末５に送信し、広告主用端末５にスケジュール用ページを表示する（ステップＳ３３）。このページには、所定の日について、所定の電子広告装置６から広告を配信するスケジュール状況が表示されている。また、このページには、広告開始時間及び広告終了時間を入力する入力欄が配置されている。
【００９３】
広告主は、この画面上で、広告開始時間及び広告終了時間を入力し、「送信」をクリックする。「送信」がクリックされると、広告主用端末５、インターネット３を介して入力事項が電子広告サーバ１に通知される。
【００９４】
電子広告サーバ１は、この通知により、既に予約されている時間帯に予約され、予約が重複しているか否かを判別する（ステップＳ３４）。電子広告サーバ１は、予約が重複していると判別した場合（ステップＳ３４；Ｙｅｓ）、予約が重複している旨を示し、広告主に再度必要な情報の入力を要求する。
【００９５】
電子広告サーバ１は、予約が重複していないと判別した場合（ステップＳ３４；Ｎｏ）、予約の内容をスケジュール情報ＤＢ２６に登録し（ステップＳ３５）、この処理を終了する。
【００９６】
（広告の配信）
スケジュール情報ＤＢ２６に予約の内容が登録されると、電子広告サーバ１により、広告の配信が行われる。電子広告サーバ１は、図２４のフローチャートに示す処理を開始する。本実施の形態では、図８に示すようなスケジュールＮｏ．Ｓ０００１（広告Ｎｏ．Ｋ０００１、電子広告装置Ｎｏ．Ｍ０１）の場合を例に、広告の配信について説明する。
【００９７】
まず、スケジュール情報ＤＢ２６に登録された予約日（３月８日）の広告開始時間（７時００分００秒）の所定時間前に、電子広告サーバ１は、予約された広告Ｎｏ．Ｋ０００１の広告情報を広告データ情報ＤＢ２３から検索する。
【００９８】
次に、電子広告サーバ１は、広告データ情報ＤＢ２３に登録された広告Ｎｏ．Ｋ０００１の広告情報Ｎｏ．Ｇ０００１を広告情報に特定する（ステップＳ４１）。ここで、電子広告サーバ１は、広告データ情報ＤＢ２３に登録された広告Ｎｏ．の広告情報に特記事項が登録されているか否かを判別し、特記事項が登録されている場合には特記事項に従う。図６に示すように、広告Ｎｏ．Ｋ０００１には、「雨の日には、広告情報Ｎｏ．Ｇ０００１に替えて、広告情報Ｎｏ．Ｇ０００２の広告情報を使用する」との特記事項が登録されているので、電子広告サーバ１は、電子広告装置Ｎｏ．Ｍ０１から送信された気象データにより、電子広告装置Ｎｏ．Ｍ０１付近の天気を確認する。本実施の形態では、天気：晴、気温：１０℃（図７参照）なので、電子広告サーバ１は、広告情報Ｎｏ．Ｇ０００１を広告情報に特定する。
【００９９】
続いて、電子広告サーバ１は、特定した広告情報Ｎｏ．Ｇ０００１の広告情報を広告データ情報ＤＢ２３から検索し、検索した広告情報Ｎｏ．Ｇ０００１の情報データを電子広告装置Ｎｏ．Ｍ０１に送信する（ステップＳ４２）。
【０１００】
そして、広告開始時間（７時００分００秒）になると、電子広告サーバ１は、送信した電子広告装置Ｎｏ．Ｍ０１に広告情報Ｎｏ．Ｇ０００１を配信させる（ステップＳ４３）。
【０１０１】
また、電子広告サーバ１は、電子広告装置Ｎｏ．Ｍ０１に搭載された映像機器６７により、広告場所周辺の映像（通行人等）を撮影させ、撮影画像を作成させる（ステップＳ４４）。撮影画像には、広告配信時の通行人等が撮影され、商品等の宣伝、広告効果を確認することができる。そして、撮影された撮影画像に番号（撮影画像Ｎｏ．ＳＧ０００１）を付し、撮影画像ＤＢ２８に記憶（登録）する。
【０１０２】
次に、電子広告サーバ１は、広告履歴を作成する（ステップＳ４５）。本実施の形態では、広告Ｎｏ．Ｋ０００１、電子広告装置Ｎｏ．Ｍ０１、広告開始時間：７時００分００秒、広告終了時間：７時３０分００秒、撮影画像Ｎｏ．ＳＧ０００１、広告位置：港区・・・、天気：晴、温度：１０℃、という広告履歴を作成する。ここで、広告位置は、広告を配信した時間におけるバスの位置であり、例えば、ＧＴＳにより判別される。そして、電子広告サーバ１は、作成した広告履歴を広告履歴ＤＢ２７に登録する（ステップＳ４６）。
【０１０３】
（広告料金の算出）
電子広告装置Ｎｏ．Ｍ０１に広告Ｎｏ．Ｋ０００１の広告情報Ｎｏ．Ｇ０００１が配信され、広告履歴を広告履歴ＤＢ２７に登録すると、電子広告サーバ１は、広告料金を算出する。
【０１０４】
電子広告サーバ１は、広告履歴ＤＢ２７に登録された広告履歴に関する情報を広告料金ＤＢ２９に登録された広告料金に関する情報に代入して、広告料金を算出する。本実施の形態では、広告が配信された位置が駅前（位置係数ｃ）であり、撮影画像Ｎｏ．ＳＧ０００１には想定した数の通行人がいる（通行人数係数：１）場合を例にして説明する。
【０１０５】
まず、広告の配信時間が３０分であり、配信時間による料金は、３０×ａ＝３０ａ（万円）になる。広告が配信された時間は７時からであり、配信時間帯別料金は、３０ａ×ｂ＝３０ａｂ（万円）になる。広告が配信された位置は駅前であり、位置別料金は、３０ａ×ｃ＝３０ａｃ（万円）になる。このため、本実施の形態の広告料金は、３０ａ＋３０ａｂ＋３０ａｃ＝ａ（３０＋３０ｂ＋３０ｃ）（万円）になる。
【０１０６】
次に、同様の条件で広告を行ったところ、撮影画像Ｎｏ．ＳＧ０００１には想定した数の２／３の通行人しかいなかった（通行人数係数：２／３）場合について、広告料金を算出する。
【０１０７】
まず、配信時間が３０分であり、配信時間による料金は、３０×ａ＝３０ａ（万円）になる。広告が配信された時間は７時からであるが、撮影画像Ｎｏ．ＳＧ０００１には想定した数の２／３の通行人しかいないので、配信時間帯別料金は、３０ａ×ｂ×（２／３）＝２０ａｂ（万円）になる。広告が配信された位置は駅前であるが、撮影画像Ｎｏ．ＳＧ０００１には想定した数の２／３の通行人しかいないので、位置別料金は、３０ａ×ｃ×（２／３）＝２０ａｃ（万円）になる。このため、本実施の形態の広告料金は、３０ａ＋２０ａｂ＋２０ａｃ＝ａ（３０＋２０ｂ＋２０ｃ）（万円）になる。
【０１０８】
このように、配信時間による料金と、配信時間帯及び広告位置による料金との合計により、広告料金を算出しているので、広告料金を商品等の広告効果に即した料金に設定することができる。これは、配信時間帯及び広告位置による料金が、過去の統計等から所定の時間及び位置での想定した通行人の数に対応した係数を用いて算出されるためである。
【０１０９】
さらに、配信時間帯及び広告位置による料金について、通行人数係数を乗じているので、通行人の数が想定した数と異なる場合にも、広告料金を商品等の広告効果に即した料金に設定することができる。
【０１１０】
最後に、電子広告サーバ１は、広告料金を算出すると、請求ＤＢ３０に登録された情報から請求書を作成し、広告主に作成した請求書を送付する。
【０１１１】
以上説明したように、本実施の形態によれば、配信時間帯及び広告位置による料金について、通行人数係数を乗じているので、広告料金を商品等の広告効果に即した料金に設定することができる。
【０１１２】
本実施の形態によれば、広告料金を、配信時間による料金と、配信時間帯及び広告位置による料金との合計により算出しているので、広告料金を商品等の広告効果に即した料金に設定することができる。
【０１１３】
本実施の形態によれば、気象センサにより天気を特定し、この天気に応じて広告情報を替えることができるので、広告主の要望に沿った汎用性のある広告情報を配信することができる。
【０１１４】
なお、本発明は上記実施の形態に限定されず、種々の変形及び応用が可能である。例えば、システム構成や画面構成は適宜変更可能である。また、実質的に同一の機能が実現できるならば、処理手順なども適宜変更可能である。
【０１１５】
上記実施の形態では、電子広告装置６をバス６６の外装部に装着した場合を例に本発明を説明したが、電子広告装置６をトラックのような他の移動体に装着した場合であってもよい。この場合にも、広告料金を商品等の広告効果に即した料金に設定することができる。
【０１１６】
さらに、電子広告装置６をビルの外壁や屋上のような建物に装着した場合であってもよい。これらの場合にも、映像機器６７により撮影された通行人等の状況から求められた通行人数係数を乗じて広告料金が算出されるので、広告料金を商品等の広告効果に即した料金に設定することができる。
【０１１７】
上記実施の形態では、配信時間帯及び広告位置による料金について、通行人数係数を乗じて広告料金を算出した場合を例に本発明を説明したが、例えば、通行人数係数を乗じなくてもよい。この場合にも、広告料金を商品等の広告効果に即した料金に設定することができる。
【０１１８】
上記実施の形態では、広告料金を、配信時間による料金と、配信時間帯及び広告位置による料金との合計により算出した場合を例に本発明を説明したが、少なくとも広告情報の配信時間と広告位置から広告料金を算出するものであればよく、例えば、広告料金を、配信時間による料金と広告位置による料金との合計から算出してもよい。また、配信時間による料金に広告位置により定めた係数を乗じた料金のように、任意の料金体系としてもよい。さらに、電子広告装置６の大きさ等の他の要因を加えた料金体系としてもよい。
【０１１９】
本実施の形態の電子広告システムに、さらに、図２５に示すように、緊急情報通信システム１０１を接続してもよい。この場合、緊急情報通信システム１０１からの緊急通報は、電子広告サーバ１が受信する。この緊急通報を受信した電子広告サーバ１は、全ての広告情報の送信より優先して、全ての電子広告装置６に緊急情報を送信するとともに、全ての広告情報の配信より優先して、電子広告装置６に緊急情報を配信する。これにより、緊急時のニュース、災害時の避難場所等の重要な情報が通行人に連絡することができる。
【０１２０】
上記実施の形態では、撮影機器により撮影された画像から、広告配信時の通行人の数に応じて広告料金を変化させた場合を例に本発明を説明したが、例えば、広告に係る商品の販売対象となる性別、年代別の人数に応じて広告料金を変化させてもよい。
【０１２１】
本実施の形態の電子広告データベース３に、さらに、各地域の方言、母国語等を記憶するＤＢを設け、移動体の移動に合わせて、移動地域に適した方言、母国語等の言語に変えて広告情報を配信してもよい。
【０１２２】
本実施の形態のバス６６に太陽光発電パネル、蓄電池等を取り付けてもよい。この場合、電子広告装置６の消費電力を太陽光発電により賄うことができる。
【０１２３】
また、電子広告装置６の前面にセンサを設け、電子広告装置６の前を人が通ると照明を付けたり、音声を再生する手段を設けてもよい。この場合、通行人に広告情報の配信を確実に知らせることができる。
【００１２４】
コンピュータ又はコンピュータ群を、上述のシステムとして機能させ、或いは、上述の工程を実行させるために必要なプログラムの全部又は一部を、記録媒体（ＲＯＭ、フレキシブルディスク、ハードディスク、ＣＤ−ＲＯＭ、ＭＯ、ＣＤ−Ｒ、フラッシュメモリ）等に記録して配布・流通させてもよい。
【００１２５】
【発明の効果】
以上説明したように、本発明によれば、広告料金を商品等の広告効果に即した料金に設定することができる。
【図面の簡単な説明】
【図１】本発明の実施の形態に係る電子広告システムの構成を示す図である。
【図２】図１の電子広告サーバの構成を示す図である。
【図３】図１の電子広告データベースの構成を示す図である。
【図４】広告主データベースの構成を示す図である。
【図５】広告作成者データベースの構成を示す図である。
【図６】広告データ情報データベースの構成を示す図である。
【図７】電子広告装置情報データベースの構成を示す図である。
【図８】スケジュール情報データベースの構成を示す図である。
【図９】広告履歴データベースの構成を示す図である。
【図１０】広告料金データベースの構成を示す図である。
【図１１】請求データベースの構成を示す図である。
【図１２】電子広告装置の構成を示す図である。
【図１３】電子広告装置が取り付けられた移動体を示す図である。
【図１４】ログイン時に、電子広告サーバが実行する処理を説明するためのフローチャートである。
【図１５】ログイン画面用ページの一例を示す図である。
【図１６】トップページの一例を示す図である。
【図１７】広告内容の登録処理を説明するためのフローチャートである。
【図１８】登録用ページの一例を示す図である。
【図１９】広告内容の変更処理を説明するためのフローチャートである。
【図２０】変更用ページの一例を示す図である。
【図２１】予約処理を説明するためのフローチャートである。
【図２２】予約用ページの一例を示す図である。
【図２３】スケジュール用ページの一例を示す図である。
【図２４】配信処理を説明するためのフローチャートである。
【図２５】他の実施の形態に係る電子広告システムの構成を示す図である。
【符号の説明】
１  電子広告サーバ
２  電子広告データベース
３  インターネット
４  広告作成者用端末
５  広告主用端末
６  電子広告装置
【図１】
0003908576.tif 000002
【図２】
0003908576.tif 000003
【図３】
0003908576.tif 000004
【図４】
0003908576.tif 000005
【図５】
0003908576.tif 000006
【図６】
0003908576.tif 000007
【図７】
0003908576.tif 000008
【図８】
0003908576.tif 000009
【図９】
0003908576.tif 000010
【図１０】
0003908576.tif 000011
【図１１】
0003908576.tif 000012
【図１２】
0003908576.tif 000013
【図１３】
0003908576.tif 000014
【図１４】
0003908576.tif 000015
【図１５】
0003908576.tif 000016
【図１６】
0003908576.tif 000017
【図１７】
0003908576.tif 000018
【図１８】
0003908576.tif 000019
【図１９】
0003908576.tif 000020
【図２０】
0003908576.tif 000021
【図２１】
0003908576.tif 000022
【図２２】
0003908576.tif 000023
【図２３】
0003908576.tif 000024
【図２４】
0003908576.tif 000025
【図２５】
0003908576.tif 000026